(57)【要約】【課題】  従来の空中捕虫による粘着式捕虫器は、粘着捕虫面が手のひら大程度の大きさしかなく、手で振った時の空気抵抗感、重量感もあって、飛来する虫に対して効果的に粘着捕虫させることができなかった。また、粘着捕虫後の虫の処理について、粘着捕虫の度に粘着シートまたは捕虫器本体を廃棄する無駄と、一方では粘着面に虫を蓄積することによる衛生上の問題があった。【解決手段】  効果的な粘着捕虫を実現するため、捕虫面に装着する粘着シートの面積を広げて薄いものにし、さらに面の通気性を良くするため一面に無数の極小通気孔を施した。また、粘着式捕虫器のグリップ内の虫挟み用ピンセットを用いて、粘着した虫を都度除去することで、衛生的で無駄のない粘着シートの使用を可能にした。さらに、粘着シートの交換のみで粘着式捕虫器を繰り返し使用できるようにした。【選択図】図２
2008136470.tif 000002
【特許請求の範囲】
【請求項１】
捕虫器本体１の円形フレーム面２に、その円形と同じ面積で、且つその一面には無数の極小通気孔と表裏一面に粘着剤を施した粘着シート３を１枚と、それを固着させる粘着シート固定フレーム４を重ね合わせて取り付けた粘着式捕虫器。
【請求項２】
捕虫器本体１のグリップ５内に、粘着シート３に貼り付いた虫を挟み捕り除去するための虫挟み用ピンセット６を収納した、請求項１記載の粘着式捕虫器。
【発明の詳細な説明】
【技術分野】
【０００１】  本発明は、ハエや蚊などの小型虫を、飛んでいる状態で効率よく粘着捕獲し、併せて虫挟み用ピンセットを用いて粘着した虫を挟み捕り除去する、粘着式捕虫器に関するものである。
【背景技術】
【０００２】  捕虫器粘着面の開閉型として、使用時は捕虫器本体を開けて粘着面を出し、これを左右などに振って飛んでいる害虫を粘着捕獲し、数回使用後は害虫を粘着させたまま捕虫器本体ごと捨てるものがある（例えば、特許文献１参照）。
また、ハエたたき状の構造で害虫を粘着捕獲するものもある（例えば、特許文献２参照）。
【特許文献１】特開２００１−３５２８８７号  広報
【特許文献２】特開２００２−３４４２０号  広報
【発明の開示】
【発明が解決しようとする課題】
【０００３】  従来の空中捕虫によるラケットまたはハエたたき状の粘着式捕虫器には、その捕虫面に直接粘着剤を塗布したもの、あるいは粘着シートを別に設けて貼り付けたものがあるが、粘着面積は手のひら大程度と小さく、広範囲に飛び回る虫を捕まえるにはかなりの時間と労力を必要としていた。【０００４】  また、粘着式捕虫器本体がハエたたき状以外のものは、粘着捕虫面が分厚い構造で通気性も充分でないため、手で粘着式捕虫器を振った時は空気抵抗感、重量感を感じるものになっていた。このため、極軽量の小型虫は、粘着捕虫面の空気抵抗で発生する強風にあおられてしまい、うまく粘着させることができなかった。また、振る手もすぐに疲れてしまうという問題があった。【０００５】  捕虫面に粘着した虫の後処理について、数匹粘着後に捕虫器本体ごと廃棄するもの、粘着シートに虫が粘着したら都度そのシートに包んで廃棄するものがあるが、前者は虫を捕虫面に蓄積することによる衛生上の問題と使用後は捕補虫器本体ごと廃棄する無駄があった。後者は粘着シートを大量に消費してしまう問題があった。
本発明は、このような従来の構造が有していた問題を解決するものである。
【課題を解決するための手段】
【０００６】  以下、課題を解決するための手段を図２に基づいて説明する。【０００７】  粘着捕虫面の面積が小さい、厚い、通気性が悪いといった不具合を解決するため、粘着式捕虫器本体１の円形フレーム面２に取り付けられる粘着シート３は、その面積をテニスラケット面大と同等の面積を有する円形フレーム面２の面積にまで拡大し、さらにその厚さは画用紙程度の厚さにまで薄くした。また、粘着シート３の取り付け枚数は１枚のみとし、その一面には無数の極小通気孔を施した。【０００８】  粘着捕虫効率向上の一助として、粘着シート３の表裏一面に粘着剤を塗布した。【０００９】  粘着シート３を固着する粘着シート固定フレーム４は、粘着式捕虫器使用中における粘着シート３のたるみやずれを防止させると共に、これを捕虫器本体１から脱着可能にすることで粘着シート３の交換を容易に行えるようにした。【００１０】  粘着シート３を無駄なく使用できるよう、粘着式捕虫器本体１の手持ちグリップ５内に、虫挟み用ピンセット６を設けて、都度粘着シート３に貼り付いた虫を挟み捕り除去できるようにした。
【発明の効果】
【００１１】  粘着式捕虫器を振った時の空気抵抗感、重量感が軽減されるので、粘着式捕虫器を片手で軽くしかも正確に振ることができる。また、この効果と、粘着シートの面積拡大および表裏両面粘着の効果の相乗効果で、手で振る回数が減る一方、広範囲に効率よく粘着補虫させることができる。【００１２】  また、粘着式捕虫器を振った時に起こる粘着シート面付近の強風が、無数の極小通気孔によって弱められるため、極軽量の小型虫でも粘着捕虫が可能になる。【００１３】  付属の虫挟み用ピンセット用いて、粘着した虫を都度挟み捕り除去できるようにしたので、粘着捕虫の度に粘着シートを新しいものに交換する必要はなく、また、粘着虫の蓄積による不衛生も解消される。【００１４】  粘着シートの交換によって粘着式捕虫器を繰り返し使用することができる。
【発明を実施するための最良の形態】
【００１５】  以下、本発明を実施するための最良の形態を図２に基づいて説明する。【００１６】  捕虫器本体１の円形フレーム面２に、その円形と同じ面積で、且つその一面には無数の極小通気孔と表裏一面に粘着剤を施した粘着シート３を１枚と、その周囲を固着させる粘着シート固定フレーム４を設けた。【００１７】  また、グリップ５内に、粘着シート３に貼り付いた虫を挟み捕り除去するための虫挟み用ピンセット６を設けた。【００１８】  本発明は上述の構造を有し、粘着式捕虫器を使用する前の準備として、捕虫器本体１の円形フレーム面２に、まず粘着シート３を１枚、そのフレームに合わせて取り付け、その上に粘着シート固定フレーム４を同様の方法で重ね合わせて固着し、粘着シート３の周囲を固定させる。また、グリップ５内には虫挟み用ピンセット６を収納しておく。【００１９】  粘着式捕虫器を使用するときは、グリップ５を片手で握り、飛来する虫に対して垂直に粘着シート３に当たるよう捕虫器本体１を左右などに振る。【００２０】  粘着シート３に虫が粘着したときは、グリップ５内に収納してある虫挟み用ピンセット６を取り出して粘着した虫を挟み捕って捨て、使用後は虫挟み用ピンセット６をグリップ５内に再度収納する。【００２１】  粘着シート３が汚れたまたは粘着力が落ちた場合は、粘着シート固定フレーム４を取り外し、さらに粘着シート３を円形フレーム面２から取り外して、新しい粘着シート３を１枚、円形フレーム面２に合わせて取り付ける。同様の方法で粘着シート固定フレーム４をその上に重ね合わせて固着し、粘着シート３の周囲を固定させる。
【図面の簡単な説明】
【００２２】
【図１】  本発明の使用状態をあらわした正面図である。
【図２】  本発明の構造をあらわした斜視図である。
【符号の説明】
【００２３】  １  捕虫器本体
２  円形フレーム面
３  粘着シート
４  粘着シート固定フレーム
５  グリップ
６  虫挟み用ピンセット
【図１】
2008136470.tif 000003
【図２】
2008136470.tif 000004